(57)【要約】【課題】地中に埋設される管体を地中箱の側面にあけた貫通穴に接続する接続構造において、土圧がかかっても止水性を維持できるようにする。【解決手段】螺旋波付き管１４の外周面に螺合する雌ねじ部２１を有するとともに、地中箱７１の貫通穴７３の周囲に当接する当接面２３ａを有した管継手１２と、螺旋波付き管１４の内周面に螺合する雄ねじ部３１を有するとともに、地中箱７１の貫通穴７３の周囲に当接する当接面３２ａを有したベルマウスで、貫通穴７３の周囲を挟み付けて、螺旋波付き管１４を貫通穴７３に接続する管体接続構造１１において、貫通穴７３に嵌合する円筒状の突部２５を管継手１２に形成して、管継手１２の当接面２３ａが貫通穴７３の周囲にから離れる方向に変位するのを阻止する。【選択図】図１
2014207752.tif 000002
【特許請求の範囲】
【請求項１】
管体の外周面に結合する結合部を有するとともに、接続対象の貫通穴の周囲に当接する当接面を有した管継手と、管体の内周面に結合する結合部を有するとともに、接続対象の貫通穴の周囲に当接する当接面を有したベルマウスで、前記貫通穴の周囲を挟み付けて、前記管体を前記貫通穴に接続する管体接続構造であって、
前記管継手の前記当接面より内周側で結合部より外周側の部位に、前記貫通穴に進入する突部を備えた
管体接続構造。
【請求項２】
前記突部が筒状である
請求項１に記載の管体接続構造。
【請求項３】
管体の外周面に結合する結合部を有するとともに、接続対象の貫通穴の周囲に当接する当接面を有し、管体の内周面に結合する結合部を有するとともに、接続対象の貫通穴の周囲に当接する当接面を有したベルマウスと協働して、前記貫通穴の周囲を挟み付けて、前記管体を前記貫通穴に接続する管継手であって、
前記当接面より内周側で結合部より外周側の部位に、前記貫通穴に進入する突部を備えた
管継手。
【発明の詳細な説明】
【技術分野】
【０００１】
この発明は、たとえばハンドホールやマンホールのように地中に埋設される地中箱に対して電線保護用の管体を接続する管体接続構造に関し、より詳しくは、土圧がかかっても止水性を維持できるような管体接続構造に関する。
【背景技術】
【０００２】
前記のような管体接続構造としては、たとえば下記特許文献１、２に開示された構造がある。
【０００３】
特許文献１の管体接続構造は、螺旋波付き管の外周面に螺合する雌ねじ部を有するとともに、地中箱の貫通穴の周囲に当接する当接面を有した管継手と、螺旋波付き管の内周面に螺合する雄ねじ部を有するとともに、地中箱の貫通穴の周囲に当接する当接面を有したベルマウスで、前記貫通穴の周囲を厚み方向に挟み付けて、管体を貫通穴内に接続するというものである。
【０００４】
特許文献２の構造は、特許文献１のように螺旋波付き管を管継手で直接、貫通穴に対して接続するのではなく、間接的に接続する構成である。つまり、管継手に対して受け継手を接続して、この受け継手に螺旋波付き管を接続するというものである。
【０００５】
これら特許文献１、２いずれの構造でも、貫通穴の内部とその周囲に対する管継手とベルマウスの取付け態様は同様である。つまり、管継手とベルマウスの当接面が貫通穴の周囲を厚み方向に挟み込むとともに、管継手と、螺旋波付き管または受け継手と、ベルマウスの雄ねじ部が貫通穴内に外周側から並び、貫通穴内を厚み方向に延びている。貫通穴内に存在する管継手と貫通穴の内周面との間には隙間がある。
【先行技術文献】
【特許文献】
【０００６】
【特許文献１】特開２００１−９０８８４号公報
【特許文献２】特許第４９６１１７４号公報
【発明の概要】
【発明が解決しようとする課題】
【０００７】
しかし前記のような接続構造では、螺旋波付き管や受け継手と、これを支える管継手が、地中に埋設されたときに土圧を受けるため、土圧のかかり方によっては止水性が損なわれる可能性がある。
【０００８】
つまり、管継手と螺旋波付き管や受け継手は地中箱の側面から垂直に突出するので、土圧が上からかかると、管継手と螺旋波付き管や受け継手は地中箱から離れた部分で下方に下がるように撓み変形する。この撓みによって、管継手の当接面と貫通穴の周囲との間に隙間ができる。当接面には水分を含むと膨張する水膨張層を備えるものの、撓み変形が大きいと、止水性を維持できない状態になり得る。
【０００９】
そこで、この発明は、土圧がかかっても大きく撓まないようにして、止水性を維持できるようにすることを主な目的とする。
【課題を解決するための手段】
【００１０】
そのための手段は、管体の外周面に結合する結合部を有するとともに、接続対象の貫通穴の周囲に当接する当接面を有した管継手と、管体の内周面に結合する結合部を有するとともに、接続対象の貫通穴の周囲に当接する当接面を有したベルマウスで、前記貫通穴の周囲を挟み付けて、前記管体を前記貫通穴に接続する管体接続構造であって、前記管継手の前記当接面より内周側で結合部より外周側の部位に、前記貫通穴に進入する突部を備えた管体接続構造である。
【００１１】
別の手段は、管体の外周面に結合する結合部を有するとともに、接続対象の貫通穴の周囲に当接する当接面を有し、管体の内周面に結合する結合部を有するとともに、接続対象の貫通穴の周囲に当接する当接面を有したベルマウスと協働して、前記貫通穴の周囲を挟み付けて、前記管体を前記貫通穴に接続する管継手であって、前記当接面より内周側で結合部より外周側の部位に、前記貫通穴に進入する突部を備えた管継手である。
【００１２】
この発明では、管体に管継手の結合部を結合し、管継手の当接面を貫通穴の周囲に当接し、貫通穴の反対側から管体に対してベルマウスの結合部を結合してベルマウスの当接面を貫通穴の周囲に当接する。管継手の当接面を貫通穴の周囲に当接すると、突部は管体よりも外周側において貫通穴に進入する。突部は貫通穴内で厚み方向に延びており、管体や管継手に、これらを撓めるような荷重がかかって管継手の当接面が貫通穴の周囲から離れる方向に変位しようとしても、突部が貫通穴の内周面に接して、その変位を阻止する。
【発明の効果】
【００１３】
この発明によれば、突部が貫通穴内で管継手の撓み変形を抑制するので、大きな変位の発生を阻止できる。この結果、止水性を損なうような隙間ができることを回避して、止水性を維持できる。
【図面の簡単な説明】
【００１４】
【図１】管体接続構造の断面図。
【図２】管継手とパッキンとベルマウスの斜視図。
【図３】管体接続構造の分離状態の断面図。
【図４】他の例に係る管継手の斜視図。
【図５】他の例に係る管体接続構造の断面図。
【発明を実施するための形態】
【００１５】
この発明を実施するための一形態を、以下図面を用いて説明する。  
図１は、管体接続構造１１を示す断面図で、この管体接続構造１１は、管継手１２と、ベルマウス１３を利用して螺旋波付き管１４（以下「管体」という）を地中箱７１に接続するものである。
【００１６】
前記管体１４は、地中に埋設する電線を保護するためのもので、合成樹脂製である。螺旋状の凹凸（螺旋波）は外周面のほか内周面にも形成されている。この管体１４は、地中箱７１の壁部７２に形成された貫通穴７３に対して一端部をはめ込むように接続される。接続状態において、管体１４は地中箱７１の壁部７２の外側面から垂直に突出する状態となる。
【００１７】
前記管継手１２は合成樹脂製で、図２に示したように略円筒状である。この管継手１２の内周面の全体には、管体１４の外周面に螺合により結合する結合部としての雌ねじ部２１を有している。この雌ねじ部２１には、水分を含むと膨張するシート状の止水材２２が設けられている。
【００１８】
止水材２２には、水分を吸収して膨張する水膨張材を保持したポリエチレンテレフタレート等からなる不織布を使用できる。雌ねじ部２１に対する固定は、管継手１２を成形するときに一体成形して行うとよい。
【００１９】
管継手１２の外周面における基端側、つまり地中箱７１に接続する側に寄った部位には、外周方向に鍔状に突出して前記貫通穴７３よりも大きい円環状の当接板２３が形成されている。この当接板２３の基端側の面が、地中箱７１の外側面における前記貫通穴７３の周囲に当接する当接面２３ａである。当接面２３ａにも前記と同様の止水材２４が備えられる。このため当接面２３ａは止水材２４を介して間接的に当接する。
【００２０】
この当接面２３ａより基端側であって、当接面２３ａより内周側で雌ねじ部２１より外周側の部分は、前記貫通穴７３よりも若干小径の外周面を有する円筒状に形成されている。この円筒状の部分が、貫通穴７３に進入する突部２５である。前記雌ねじ部２１は、この突部２５にも形成されている。突部２５の長さは適宜設定されるが、可能な範囲で長いほうが望ましい。
【００２１】
突部２５の外周面には、図２にも示したような環状のパッキン１５が装着される。このパッキン１５は貫通穴７３の内周面との間での止水と抜け止めに資する。
【００２２】
管継手１２の外周面における当接板２３より先端側の部分には、正面視方形状の突出部２６が、周方向に沿って間欠形成されている。これらの突出部２６は、管継手１２の接続に際して管継手１２を回転する時の引っかかりとなる部分である。
【００２３】
前記ベルマウス１３は合成樹脂製で、管体１４の内周面に螺合により結合する結合部としての円筒状の雄ねじ部３１を有し、この雄ねじ部３１の一端部に、外周方向に鍔状に突出して前記貫通穴７３よりも大きい円環状の当接板３２を有している。この当接板３２の雄ねじ部３１を有する側の面が、地中箱７１の内側面における前記貫通穴７３の周囲に間接的に当接する当接面３２ａである。この当接面３２ａも前記と同様の止水材３３を備えている。
【００２４】
以上のような部材からなる管体接続構造１１では、次のようにして管体１４の接続を行う
まず、図３に示したようにパッキン１５を備えた管継手１２に対して、管体１４の一端部を螺合し、管継手１２の突部２５を地中箱７１の壁部７２に形成した貫通穴７３に対して外側面から挿入する。
【００２５】
つぎに、地中箱７１の壁部７２の内側面からベルマウス１３の雄ねじ部３１を管体１４の内周面に螺合し、管継手１２とベルマウス１３の当接面２３ａ，３２ａで壁部７２の貫通穴７３の周囲を厚み方向に挟み付ける。すると、図１に示したように管継手１２と管体１４が壁部７２から垂直に突出した状態になって、管体１４は貫通穴７３内に接続される。
【００２６】
このとき、管継手１２の突部２５は貫通穴７３の内周面に対してパッキン１５を介して嵌った状態である。
【００２７】
このような接続状態となるので、次のような作用効果を有する。
【００２８】
管継手１２とベルマウス１３はそれぞれの雌ねじ部２１と雄ねじ部３１を介して管体１４と結合し、管継手１２とベルマウス１３の当接面２３ａ，３２ａは、その結合状態を保持するように壁部７２を挟持する。地中に埋設されることで、当接面２３ａ，３２ａに備えた止水材２４，３３や雌ねじ部２１に備えた止水材２２が地中の水分を吸収して膨張し、止水材２２，２４，３３部分を隙間のない状態にするとともに、各部材１２，１３，１４，７２の結合状態を強化する。管継手１２の突部２５においては、貫通穴７３内に相対変位不可能に挿入された状態が保持される。
【００２９】
この状態で土圧がかかって管体１４や管継手１２に、上から押さえ込むような荷重がかかって、管体１４や管継手１２の先端側が撓み変形しても、管継手１２の突部２５が貫通穴７３の内周面に接して、または接するに準じた状態となって、相対変位を阻止する。この作用は、当接面２３ａ，３２ａに備えられた止水材２４，３３の膨張力によっても補われる。
【００３０】
このように突部２５によって管継手１２の貫通穴７３に対する変位が阻止されるので、管体１４や管継手１２に対して、これらが撓むような荷重がかかっても、管継手１２の当接面２３ａが貫通穴７３の周囲から離れる方向に大きく変位することはない。特に、固定力を発揮している管継手１２の一部である突部２５が、貫通穴７３の内周面に近い位置で直接的に貫通穴７３に接して相対変位を阻止するので、たとえば固定されている管体１４が貫通穴７３に接する場合と比べて、相対変位の阻止は強力に行える。このため、止水性を損なうような隙間が不測にできることを回避でき、止水性を確保することが可能である。
【００３１】
また、管継手１２とベルマウス１３の結合部をねじで構成したので、結合は回転することで行え、接続作業は至って容易である。しかも、管継手１２とベルマウス１３の当接板２３，３２は円環状であるので、接続作業のための回転作業は円滑に行える。
【００３２】
以下、その他の例を説明する。この説明において、前記構成と同一又は同等の部位には同一の符号を付してその詳しい説明を省略する。
【００３３】
図４は他の例に係る管継手１２の斜視図である。この管継手１２の突部２５は、内周面に雌ねじ部を有しない円筒形状である。突部２５の厚みは適宜設定される。  
このような構成の管継手１２でも、前記と同様の作用効果を有する。
【００３４】
図５は、他の例に係る管体接続構造１１の断面図である。この管体接続構造１１は、管継手１２に対しては、管体１４に代えて管体１４を接続する受け継手１６を接続する。
【００３５】
受け継手１６は、管体１４と同じ形状の螺旋波付き部６１を基端側に有し、この螺旋波付き部６１の先端に、略筒状の受け部６２を有している。受け部６２内には、リング状の抜け止め部材６３が備えられ、管体１４の一端部を保持する差し込み継手４５を差し込んだときに抜け止めできるようにしている。差し込み継手４５は、長手方向の反差し込み側の内周面に、管体１４に螺合する雌ねじ部４５ａを有する。
【００３６】
このように構成された接続構造１１でも、受け継手１６は管継手１２とベルマウス１３によって、前記と同様に止水性を阻害されるような変位のない状態で保持されるので、管体１４と受け継手１６と管継手１２に土圧がかかっても、止水性を確保できる。
【００３７】
この発明の構成と前記一形態の構成との対応において、  
この発明の接続対象は、前記地中箱７１に対応し、  
以下同様に、  
管体は、前記螺旋溝付き管（管体）１４または前記受け継手１６に対応し、  
管継手の結合部は、前記雌ねじ部２１に対応し、  
ベルマウスの結合部は、前記雄ねじ部３１に対応するも、  
この発明は前記構成のみに限定されるものではなく、その他の形態を採用することができる。
【００３８】
例えば突部２５は、筒状ではなく、例えば環状に配設される複数本の棒状の部分からなるものであってもよい。
【００３９】
また、前記パッキン１５に代えて、ゴムシートやスポンジ、不織布などを用いることもできる。水膨張性とすることも可能である。
【符号の説明】
【００４０】
１１…管体接続構造
１２…管継手
１３…ベルマウス
１４…螺旋溝付き管
１６…受け継手
２１…雌ねじ部
２３ａ…当接面
２５…突部
３１…雄ねじ部
３２ａ…当接面
７１…地中箱
７３…貫通穴
【図１】
2014207752.tif 000003
【図２】
2014207752.tif 000004
【図３】
2014207752.tif 000005
【図４】
2014207752.tif 000006
【図５】
2014207752.tif 000007